【事件の表示】
　平成１０年特許願第　　９６１２号「画像読取方法」拒絶査定不服審判事件〔平成１１年　８月　６日出願公開、特開平１１−２１５３０６〕について、次のとおり審決する。
【結　論】
　本件審判の請求は、成り立たない。
【理　由】
第１　手続の経緯・本願発明 
　本願は、平成１０年１月２１日の出願であって、平成１７年５月１８日付けで拒絶査定がなされ、これに対し、同年６月２２日に拒絶査定不服の審判が請求されるとともに、同年７月５日付けで手続補正がされたものである。　
　
第２　平成１７年７月５日付けの手続補正についての補正却下の決定
［補正却下の決定の結論］
　　平成１７年７月５日付けの手続補正（以下、「本件補正」という。）を却下する。
［理由］
１．本件補正 
　本件補正は、特許請求の範囲及び発明の詳細な説明についてするものである。
このうち、特許請求の範囲については、補正前に、
（ａ）
「【請求項１】
　１方向に配列されて複数コマの原画像が記録された原稿の前記原画像を読み取るに際し、
　前記原稿に記録された原画像を所定の読取条件で順次読み取り、得られた画像データを順次記憶すると共に、得られた画像データから順次各原画像の
画像処理条件を設定
画像処理済の画像
ディスプレイに表示して画像検定を行い
所定コマ数の画像検定が終了した後、記憶した画像データを対応する画像処理条件で処理して出力する
　【請求項２】
　前記１つの単位となるコマ数が複数で、前記画像検定の所定コマ数が原稿の全コマ数である請求項１に記載の画像読取方法。
　【請求項３】
　適正な画像読取を行えなかった原画像は、読取条件を変更して再度読み取りを行う請求項１または２に記載の画像読取方法。」
とあったものを、
（ｂ）
「【請求項１】
　１方向に配列されて複数コマの原画像が記録された原稿の前記原画像を読み取るに際し、
　前記原稿に記録された原画像を所定の読取条件で順次読み取り、この読み取りにより得られた画像データを順次記憶し、
　得られた画像データから、順次原画像毎の
画像処理条件を自動設定
　１つの単位となるコマ数の原画像の画像処理条件を設定した後、
設定された原画像毎の画像処理条件を用いて、対応する前記記憶された画像データに対してシミュレーションによる画像処理を施し、このシミュレーションによって得られた画像処理済のシミュレーション画像
前記コマ数分
画像処理条件を確定する画像検定のためにディスプレイ表示し
　
前記コマ数の画像検定が終了したシミュレーション画像の、対応する前記記憶された画像データに対して、対応する確定した画像処理条件を用いて、前記コマ数分、順次画像処理して出力する
　【請求項２】
　前記原画像を読み取るに際し、適正な画像読取を行えなかった原画像について、前記読取条件を変更して再度読み取りを行う請求項１に記載の画像読取方法。」
と補正しようとするものである（なお、下線は当審で付した。）。 
　
２．補正の目的についての検討
　本件補正は、補正前の請求項１ないし３に記載された発明を特定する事項である「（画像処理済の画像を）ディスプレイに表示して画像検定を行い」という事項を、「（画像処理済のシミュレーション画像を、前記コマ数分、）画像処理条件を確定する画像検定のためにディスプレイ表示し」とする補正事項を含むものである。上記補正事項は、明らかに「画像検定を行い」との限定を削除しようとするもので、補正前の請求項に記載した発明を特定する事項を限定するものでないのはもちろんのこと、請求項の削除、誤記の訂正、明りょうでない記載の釈明のいずれにも該当しないから、平成１８年改正前特許法第１７条の２第４項各号に掲げる事項のいずれかを目的とするものであると認めることができない。
　したがって、本件補正は、平成１８年改正前特許法第１７条の２第４項の規定に違反するものであるから、特許法第１５９条第１項において読み替えて準用する特許法第５３条第１項の規定により却下すべきものである。
　
３．独立特許要件についての検討
　以上のとおりであるから、本件補正は却下すべきものであり、これ以上の検討は本来不要であるが、仮に、本件補正が、「画像処理条件を設定」との事項について「画像処理条件を自動設定」との限定、「画像処理済の画像」との事項について「設定された原画像毎の画像処理条件を用いて、対応する前記記憶された画像データに対してシミュレーションによる画像処理を施し、このシミュレーションによって得られた画像処理済のシミュレーション画像」との限定、「（画像処理済の画像を）ディスプレイに表示し」との事項について「前記コマ数分、（画像処理条件を確定する画像検定のために）ディスプレイ表示し」との限定、及び、「所定コマ数の画像検定が終了した後、記憶した画像データを対応する画像処理条件で処理して出力する」との事項について「前記コマ数の画像検定が終了したシミュレーション画像の、対応する前記記憶された画像データに対して、対応する確定した画像処理条件を用いて、前記コマ数分、順次画像処理して出力する」との限定を加える点において、平成１８年改正前特許法第１７条の２第４項第２号に掲げる特許請求の範囲の減縮を目的とするものであるとしたとき、本件補正における特許請求の範囲の請求項１に係る発明（上記「１．（ｂ）」参照、以下「本願補正発明」という。）が特許出願の際独立して特許を受けることができるものであるのかどうかについて以下に検討する。 
　
３−１　引用刊行物記載の発明 
　本願出願日の前である平成６年８月５日に頒布された特開平６−２１７０９１号公報（以下、「引用例」という。）には、図面とともに以下の事項が記載されている。
（ａ）
「【０００１】
【産業上の利用分野】本発明は、ネガフィルム、リバーサルフィルム等の透過原稿や、印刷物や写真等の原稿画像を読み取る画像読取方法に関する。詳しくは、画像読み取りの測定濃度範囲を適切に設定して、高画質な再生画像が得られる高精度な画像読み取りを行うことができる画像読取方法に関する。」
（ｂ）
「【００２４】図１に示されるデジタルフォトプリンタ１０は、２４枚取り、３６枚取り等の現像済のネガフィルムやリバーサルフィルムに記録された透過画像を１コマづつ順次読み取って必要な画像処理を行った後、フルカラーのプリント画像（出力画像）とするためのセットアップを行い、この画像を走査露光によって感光材料Ａに記録して、現像処理して仕上りプリントＰを出力するもので、基本的に、露光済の（ロール）フィルムＦに記録された透過画像（以下、画像とする）を順次読み取って画像処理する本発明の画像読取方法を実施する画像読取装置１２と、読み取られた画像のシュミレーション像を表示し、品質検定を行って画像形成条件（セットアップ条件）を決定するセットアップ装置１４と、セットアップ装置１４によって決定された画像形成条件に応じて感光材料Ａを走査露光し、露光した感光材料Ａを現像処理して仕上りプリントＰとする画像形成装置１６とより構成される。
【００２５】図１において、画像読取装置１２は、本発明の画像読取方法を実施するもので、基本的に、プレスキャン（先読み）部１８、本スキャン（本読み）部２０、プレスキャン演算記憶部２２、読取制御部２４、入力タイミング制御部２６、増幅器２８、Ａ／Ｄコンバータ３０、ＣＣＤ補正部３２、濃度変換部３４、および倍率変換部３６より構成される。このような画像読取装置１２は、現像済の（ロール）フィルムＦを図中矢印ａ方向に搬送しつつ、フィルムＦに記録された画像を１コマづつ光電的に読み取って、読み取った画像情報をＡ／Ｄ変換、計測値の補正、濃度変換、倍率変換、シャープネス等の各種の画像処理を行って、この画像情報をセットアップ装置１４に送る。
【００２６】本発明にかかる図示例の画像読取装置１２は、プレスキャン部１８および本スキャン部２０がそれぞれ独立して配備され、まずプレスキャン部１８でフィルムＦに記録された画像を粗に読み取って画像の概要を得、次いで、プレスキャン部１８によるプレスキャンの結果に応じて、画像読み取りの読取濃度範囲等の読み取り条件を設定した後、本スキャン部２０において高い空間分解能および濃度分解能でフィルムＦの画像を読み取る。」
（ｃ）
「【００５４】本スキャンＣＣＤ６４によって読み取られたフィルムＦの画像のＲ、ＧおよびＢの各画像情報（以下、画像情報とする）は、増幅器２８によって増幅され、Ａ／Ｄコンバータ３０によってデジタル信号に変換される。画像情報は、次いでＣＣＤ補正部３２によって本スキャンＣＣＤ６４の各画素毎の誤差（バラツキ）や、暗電流および暗減衰のバラツキを補正した後、倍率変換部３６によって倍率変換およびシャープネスの強調（アンシャープマスク）を施されてセットアップ装置１４に転送される。
【００５５】セットアップ装置１４は、画像読取装置１２より転送された画像情報の品質検定を行い、必要に応じて色／階調補正を行って、出力（プリント）のための画像情報として画像形成装置１６に転送するものであって、基本的に、第１セレクタ７０と、３つのフレームメモリ（ＦＭ）７２ａ，７２ｂおよび７２ｃと、第２セレクタ７４と、セットアップ演算記憶部７６と、色階調補正表示制御部７８（以下、表示制御部７８とする）と、ディスプレイ８０と、入力手段８２と、色補正部８４と、階調補正部８６と、タイミングセレクタ８８と、出力タイミング制御部９０とより構成される。
【００５６】倍率変換部３６からの画像情報は、先ず第１セレクタ７０に転送される。第１セレクタ７０は、フィルムＦの各コマの画像情報を３つのフレームメモリ７２ａ，７２ｂおよび７２ｃに順次振り分ける。つまり、例えば、当初第１セレクタ７０は１コマ目の画像情報をフレームメモリ７２ａに記憶するように転送経路を接続する。フレームメモリ７２ａへの記憶が終了すると第１セレクタ７０は、２コマ目の画像情報がフレームメモリ７２ｂに記憶されるように転送経路を切り替える。
【００５７】一方、１コマ目の画像情報がフレームメモリ７２ａ記憶されると、第２セレクタ７４はフレームメモリ７２ａとセットアップ演算記憶部７６と表示制御部７８とを接続する。セットアップ演算記憶部７６は、プリスキャン演算記憶部２２より転送されたプリスキャンの画像情報と、フレームメモリ７２ａから読み込んだ画像情報に応じて、この画像に対する最適な画像処理条件（セットアップ条件）を演算し、この結果に基づき表示制御部７８を制御する。表示制御部７８は、フレームメモリ７２ａから読み込んだ画像情報およびセットアップ演算記憶部７６からの指示信号に基づき、この条件における仕上りプリントに対応するシュミレーション画像をディスプレイ８０に表示する。
【００５８】オペレータは、ディスプレイ８０に表示された画像を見て品質検定を行い、検定合格であれば入力手段８２のスタートキーを、検定不合格であれば修正キーを押して、色補正キーや階調補正キーによって、色および／または階調補正の指示を入力手段８２に入力する。セットアップ演算記憶部７６は、入力された色および／または階調補正の指示に従って表示制御部７８を制御し、表示制御部７８はこの制御に従って、再度シュミレーション画像をディスプレイ８０に表示する。この操作は、ディスプレイ８０に表示された画像の品質検定が合格するまで繰り返し行われる。
【００５９】以上の操作の結果、品質検定が合格して入力手段８２のスタートキーが押圧されると、セットアップ演算記憶部７６は確定したセットアップ条件に応じた色補正および階調補正信号を色補正部８４と階調補正部８６に転送する。同時に第２セレクタ７４はフレームメモリ７２ａと色補正部８４とを接続し、フレームメモリ７２ａより読み出された画像情報は、色補正部８４および階調補正部８６によって、セットアップ条件に応じた色／階調補正が行われて画像形成装置１６に転送される。また、第２セレクタ７４は、同時にフレームメモリ７２ｂとセットアップ演算記憶部７６と表示制御部７８とを接続し、同様にフレームメモリ７２ｂに記憶された画像の品質検定が行われる。」
　
３−２　対比
　本願補正発明と引用例に記載された発明（以下、「引用発明」という。）とを比較する。
　上記３−２（ａ）によれば、引用発明は「画像読取方法」に関するものであり、この点で本願補正発明と一致している。また、一般に、１ロールの現像済みスチル写真フイルムには１方向に複数コマの画像が記録されているから、引用発明の「露光済の（ロール）フィルム」、及び、該フィルムに記録された「（透過）画像」は、それぞれ、本願補正発明の「１方向に配列されて複数コマの原画像が記録された原稿」、及び、「原画像」に相当する。そして、上記３−２（ｂ）及び（ｃ）によれば、引用例には、上記フィルムを読み取る際の動作が記載されているから、引用発明の「画像読取方法」は、本願補正発明でいう「１方向に配列されて複数コマの原画像が記録された原稿の前記原画像を読み取るに際し」てのものであるといえ、この点で本願補正発明と引用発明とは一致している。
　引用発明では、上記３−２（ｂ）によれば、プレスキャン部によるプレスキャンの結果に応じて読み取り条件を設定した後、本スキャン部においてフィルムの画像を読み取る動作が行われるから、本願補正発明でいう「前記原稿に記録された原画像を順次読み取り」に対応する動作が行われるといえ、また、上記３−２（ｃ）によれば、上記本スキャンによって読み取られた各コマの画像情報は３つのフレームメモリに順次記憶されるから、本願補正発明でいう「この読み取りにより得られた画像データを順次記憶し」ているといえるから、引用発明は、「前記原稿に記録された原画像を順次読み取り、この読み取りにより得られた画像データを順次記憶し」ている点で本願補正発明と共通している。
　上記３−２（ｃ）によれば、引用発明では、プリスキャンの画像情報と本スキャンで読み取られて記憶された画像情報に応じて、１コマずつ画像処理条件をセットアップ演算記憶部で演算しているから、引用発明は、本願補正発明でいう「得られた画像データから、順次原画像毎の画像処理条件を自動設定し」ているといえ、この点で本願補正発明と引用発明とは一致している。
　上記３−２（ｃ）によれば、引用発明では、１コマ目の画像に対する画像処理条件を演算した結果に基づき、記憶された１コマ目の画像情報に対して、この条件における仕上りプリントに対応するシュミレーション画像を、画像処理条件を確定するための品質検定のためにディスプレイに表示している。ここで、引用発明の「シュミレーション画像」、「品質検定」は、それぞれ、本願補正発明の「シミュレーション画像」、「画像検定」に相当する。また、上記３−２（ｃ）によれば、引用発明では、１コマずつ画像処理条件を演算しているから、該「１コマ」が、本願補正発明でいう「１つの単位となるコマ数」であるといえ、引用発明における「シュミレーション画像」は、オペレータが画像を見て仕上りプリントの状態を確認するための画像であると解されるから、上記演算された画像処理条件を用いて画像処理を施された画像であるといえ、更に、引用発明では、ディスプレイに表示された画像の品質検定が１コマずつ行われて出力されるから、ディスプレイには、１コマ分、表示されることは明らかである。よって、引用発明は、「１つの単位となるコマ数の原画像の画像処理条件を設定した後、設定された原画像毎の画像処理条件を用いて、対応する前記記憶された画像データに対してシミュレーションによる画像処理を施し、このシミュレーションによって得られた画像処理済のシミュレーション画像を、前記コマ数分、画像処理条件を確定する画像検定のためにディスプレイ表示し」ている点で本願補正発明と一致している。
　上記３−２（ｃ）によれば、引用発明では、１コマ目の品質検定が終了したシュミレーション画像の、対応する確定した画像処理条件を用いて、１コマ分づつ、画像処理して出力しているから、引用発明は、本願補正発明でいう「前記コマ数の画像検定が終了したシミュレーション画像の、対応する前記記憶された画像データに対して、対応する確定した画像処理条件を用いて、前記コマ数分、順次画像処理して出力する」ものといえ、この点で本願補正発明と一致している。
　
　すると、本願発明と引用例１発明とは、次の点で一致する。
「１方向に配列されて複数コマの原画像が記録された原稿の前記原画像を読み取るに際し、
　前記原稿に記録された原画像を順次読み取り、この読み取りにより得られた画像データを順次記憶し、
　得られた画像データから、順次原画像毎の画像処理条件を自動設定し、
　１つの単位となるコマ数の原画像の画像処理条件を設定した後、設定された原画像毎の画像処理条件を用いて、対応する前記記憶された画像データに対してシミュレーションによる画像処理を施し、このシミュレーションによって得られた画像処理済のシミュレーション画像を、前記コマ数分、画像処理条件を確定する画像検定のためにディスプレイ表示し、
　前記コマ数の画像検定が終了したシミュレーション画像の、対応する前記記憶された画像データに対して、対応する確定した画像処理条件を用いて、前記コマ数分、順次画像処理して出力することを特徴とする画像読取方法。」 
　
　一方で、両者は、次の相違点で相違する。
　原画像の「読み取り」が、本願補正発明では、「所定の読取条件で」行われるのに対し、引用発明では、引用発明では、本スキャン部における読み取りが、プレスキャン部によるプレスキャンの結果に応じて設定された読取濃度範囲等の読取条件で行われており、「所定の読取条件で」行われるかは明確でない点。
　
３−３　判断
　上記相違点について検討する。
　本願補正発明では、「所定の読取条件」がどのような読取条件であるか明確に特定されておらず、例えば、ある特定の読取条件に固定されたものである等の意味に限定して解釈することはできないものと認められる。また、画像読取方法の技術分野において、原稿がフイルムの場合、フィルムの感光材料や露光状態等は常に一定のものではないために、読取条件となる撮像素子の感光制御や光源からの露出制御を適宜変更しなければならないことは当業者にとって技術常識であり、所定の読取条件が常に固定のものは通常は考えにくい。ここで、引用発明では、プレスキャン部によるプレスキャンの結果に応じて読取濃度範囲等の読取条件が設定されて、本スキャン部における読み取りがなされるから、本スキャン部における読み取りは常に所定の（固定の）ものとはいえないものの、本スキャン時には既に設定済の読取条件で読み取りが行われることからみて、この既に設定済の読取条件が、本願補正発明でいう「所定の読取条件」の意味の範囲内であることは当業者にとって容易に推考されることである。よって、上記相違点は格別のものとはいえない。
　また、本願補正発明の効果についてみても、引用発明から当業者が容易に予測し得る程度のものにすぎない。
　したがって、本願補正発明は、引用発明に基づいて当業者が容易に発明をすることができたものであるから、特許法第２９条第２項の規定により特許出願の際独立して特許を受けることができないものである。
　
４．本件補正についてのむすび 
　以上のとおり、本件補正は、平成１８年改正前特許法第１７条の２第４項の規定に違反し、また、平成１８年改正前特許法第１７条の２第５項で準用する同法第１２６条第５項に規定に違反するものであるから、同法第１５９条第１項で読み替えて準用する同法第５３条第１項の規定により却下すべきものである。
　
　
第３　本願発明について
１．本願発明
　平成１７年７月５日付けの手続補正は上記のとおり却下されたので、本願の請求項１ないし３に係る発明は、出願当初の明細書の特許請求の範囲の請求項１ないし３に記載されたとおりのものであるところ、請求項１に係る発明（以下、「本願発明」という。）は、上記「第２　１．（ａ）」に摘記した本件補正前の特許請求の範囲の請求項１のとおりである。
　
２．引用刊行物記載の発明 
　これに対して、原査定の拒絶の理由に引用された、本願出願日の前である平成８年７月２３日に頒布された特開平８−１９１３６４号公報（以下、「引用例１」という。）には、図面とともに以下の事項が記載されている。
（ａ）
「【０００７】
【作用】本発明によれば、現像済みスチル写真フイルムが画像読取手段にセットされると、画像読取手段は、先ず第１のスキャンを実行して全コマのフイルム画像を画像表示用の第１の解像度で読み取り、これを画像メモリに記憶させる。第１の画像処理手段は、この画像メモリに記憶された第１の解像度の画像データに基づいて複数コマからなるインデックス画像を示す画像信号を生成して画像表示手段に出力し、その画面にインデックス画像を表示させる。
【０００８】そして、上記表示画像を見ながらプリント情報入力手段によってプリントすべきコのプリント枚数等を含むプリント情報を入力すると、そのプリント情報は記憶手段に記憶される。その後、画像読取手段は、第２のスキャンを実行し、指定された１コマのフイルム画像を前記第１の解像度よりも高いプリント用の第２の解像度でフイルム画像を読み取り、これを画像メモリに記憶させる。
【０００９】第２の画像処理手段は、この画像メモリに記憶された第２の解像度の画像データを、前記記憶手段に記憶された該コマに対応するプリント情報に基づいて画像処理してプリンタに出力する。プリンタは第２の画像処理手段によって処理された第２の解像度の画像データを入力し、第２の解像度のフイルム画像をプリントする。
【００１０】あるコマのプリントが終了すると、プリントすべき次のコマに対しても上記と同様な処理を実行する。即ち、画像読取手段は次のコマのフイルム画像を第２の解像度で読み取って前記画像メモリの記憶内容を書き換える。第２の画像処理手段は、この画像メモリに記憶された第２の解像度の画像データを、前記記憶手段に記憶された該コマに対応するプリント情報に基づいて画像処理してプリンタに出力し、プリンタは第２の画像処理手段から入力する第２の解像度の画像データに基づいてフイルム画像をプリントする。」
（ｂ）
「【００２０】先ず、フイルムカートリッジ３０がネガスキャナ部１０にセットされると、ＭＰＵ２０はフイルム駆動部１６（図２）制御してフイルムローディングを実行させる。フイルムローディングが完了すると、フイルム３４のプリスキャンを実行する。即ち、フイルム３４を高速で連続搬送するとともに、画像データを間引き処理し、１ロールのフイルム３４の全コマ（例えば、４０コマ）の粗い画像データを画像メモリ２２の４ＭＢの記憶領域に記憶させる。
【００２１】そして、ＭＰＵ２０は、画像メモリ２２に記憶された全コマの粗い画像データに基づいて、図４に示すような複数コマ（２０コマ）からなるインデックス画像を画像表示装置２４に表示させる。
（中略）
【００２２】上記のようにしてインデックス画像が画像表示装置２４に表示されると、ユーザーは、このインデックス画像を見ながらタッチパネル２６を使用し、コマ画像をプリントするために必要なプリント情報の入力を行う。即ち、ユーザーは、図５のフローチャートに示すようにプリントするコマ画像をタッチする（ステップＳ１０）。尚、タッチされたインデックス画像は、例えば枠付けが施され、あるいはコマ番号がブリンク表示されて他のインデックス画像との区別ができるように画像処理される。
（中略）
【００２４】次に、プリント情報入力を続けるか否かを判断し（ステップＳ１６）、プリント情報入力を続ける場合には、上記ステップＳ１０からステップＳ１６の処理を繰り返す。尚、画面上の記号（△，▽）をタッチすることにより、インデックス画像を上下方向にスクロールさせることができる。一方、プリント情報入力を終了する場合には、画面上のプリント情報入力終了を示す文字をタッチする（ステップＳ１８）。これにより、プリント情報の内容が確定する。尚、このようにして入力したプリント情報は、ＲＡＭ４６（図１）に記録される。また、プリント情報は、上記実施例に限らず、ズーム、トリミング、色補正、プリントサイズ、文字、装飾、レイアウト配置等を示す情報が考えられる。
【００２５】このようにして１ロールのフイルム３４の全てのコマ（又はプリント指定したコマ）に対してまとめてプリント情報が入力される。プリント情報の入力が終了すると、以下のようにしてコマ画像のプリントが行われる。まず、プリントすべきコマのファインスキャンを実行する。即ち、プリントすべきコマを低速で１コマ送りし、高精細な解像度の１コマ分の画像データを読み取り、その読み取った画像データを画像メモリ２２の２４ＭＢの記憶領域に記憶させる。尚、プリント情報に応じてファインスキャン時の画像取り込みが行われる。例えば、ズーム等のプリント情報により、プリント出力の画素サイズにより、最大ライン数の１／２ラインから処理した方が良いと判断した場合には、フイルム送り速度を２倍にしてスキャン時間を短縮する。
【００２６】このようにして画像メモリ２２に記憶された高精細な解像度の１コマ分の画像データは、プリント情報に応じた画像処理が施され、プリンタ２８に転送される。これにより、プリンタ２８は所望の画像編集が施されたコマ画像の高精細なプリントを実施する。プリンタ２８において、プリント情報を入力した１コマのプリントが終了すると、プリント情報を入力した次のコマのファインスキャンが実行される。このファインスキャンにより新たに読み取られた高精細な解像度の画像データは、画像メモリ２２の２４ＭＢの記憶領域に書き込まれ、既にプリントが終了したコマの画像データは消去される。」
（ｃ）
「【０００３】一方、米国特許５，２１８，４５５号には、予め複数の解像度の画像データを生成するとともに、これらの画像データを保持し、低解像度の画像データに基づいてモニタＴＶに画像を表示しながらズーム、トリミング、トーン及びカラー補正等の画像の編集データを入力し、その入力した編集データに基づいて高解像度の画像データを補正して高解像度のプリンタに出力する記載がある。
【０００４】
【発明が解決しようとする課題】しかしながら、米国特許５，２１８，４５５号に記載の発明の場合には、予め複数の解像度の画像データを生成し、これらの画像データを記憶保持しなければならず、膨大な記憶容量をもったメモリが必要となる。近年、現像済みの１本のフイルムをフイルムカートリッジに収納して返却することが提案されているが、かかるフイルムカートリッジ内の１本のフイルムの各コマ画像をまめて編集したのち、これらのコマ画像をプリントする場合には、膨大な記憶容量をもったメモリが必要となり、メモリが高価になるという問題がある。
【０００５】本発明はこのような事情に鑑みてなされたもので、１ロールのフイルムの全てのコマに対してまとめてプリント用の画像編集処理ができるとともに、即時にプリントアウトを手に入れることができ、かつ画像メモリの記憶容量も少なくすることができるフイルム画像プリント装置を提供することを目的とする。」
　
３．対比
　本願発明と引用例１に記載された発明（以下、「引用例１発明」という。）とを比較する。
　上記２（ａ）及び（ｂ）によれば、引用例１には、現像済みスチル写真フイルムのフイルム画像を読み取る技術が記載されているから、引用例１発明は「画像読取方法」に関するものといえ、この点で本願発明と一致している。また、一般に、１ロールの現像済みスチル写真フイルムには１方向に複数コマの画像が記録されているから、引用例１発明の「１ロールのフイルム」、及び、該フイルムの各コマの「フイルム画像」は、それぞれ、本願発明の「１方向に配列されて複数コマの原画像が記録された原稿」、及び、「原画像」に相当する。そして、上記２（ａ）及び（ｂ）によれば、引用例１には、上記フイルムを読み取る際の動作が記載されているから、引用例１発明の「画像読取方法」は、本願発明でいう「１方向に配列されて複数コマの原画像が記録された原稿の前記原画像を読み取るに際し」てのものであるといえ、この点で本願発明と一致している。
　上記２（ａ）及び（ｂ）によれば、引用例１発明では、プリスキャンにより１ロールのフイルムの全コマの画像を読み取り、画像データを画像メモリに記憶している。ここで、上記プリスキャンでは、所定の読取条件で順次読み取りがなされることは明らかであるから、引用例１発明は、本願発明でいう「前記原稿に記録された原画像を所定の読取条件で順次読み取り、得られた画像データを順次記憶し」ているといえこの点で本願発明と一致している。
　上記２（ｂ）によれば、引用例１発明の「プリント情報」は、ズーム、トリミング、色補正等を示す情報を含むものであるから、本願発明の「画像処理条件」に相当する。また、上記２（ｂ）によれば、引用例１発明では、得られた画像データに基づいて作成される複数コマからなるインデックス画像を表示して、プリントするコマ画像のプリント情報を入力しているから、引用例１発明は、本願発明でいう「得られた画像データから順次各原画像の画像処理条件を設定して」いるといえる。そして、上記２（ｂ）によれば、引用例１発明では、１つのコマ画像のプリント情報入力後、続けて他のコマ画像のプリント情報入力を繰り返すことにより、プリント指定した複数のコマに対してまとめてプリント情報を入力した後、プリントすべきコマの１コマをファインスキャンを実行して１コマ分の画像データを読み取り、その読み取った画像データを画像メモリに記憶させ、記憶した画像データを対応するプリント情報に応じて画像処理してプリンタに転送している。ここで、引用例１発明において、プリントする複数のコマ画像に対するプリント指定を行う過程を１つの単位とみなすことができるから、「プリント指定した複数のコマ画像」は、本願発明でいう「１つの単位となるコマ数の原画像」であるといえる。よって、引用例１発明は、「得られた画像データから順次各原画像の画像処理条件を設定して、１つの単位となるコマ数の原画像の画像処理条件を設定した後に、画像データを対応する画像処理条件で処理して出力する」ものといえ、この点で本願発明と共通している。
　
　すると、本願発明と引用例１発明とは、次の点で一致する。
「１方向に配列されて複数コマの原画像が記録された原稿の前記原画像を読み取るに際し、
　前記原稿に記録された原画像を所定の読取条件で順次読み取り、得られた画像データを順次記憶すると共に、得られた画像データから順次各原画像の画像処理条件を設定して、１つの単位となるコマ数の原画像の画像処理条件を設定した後に、画像データを対応する画像処理条件で処理して出力することを特徴とする画像読取方法。」 
　
　一方で、両者は、次の相違点で相違する。
［相違点１］
　本願発明では、原画像の画像処理条件を設定した後に、「画像処理済の画像をディスプレイに表示して画像検定を行い、所定コマ数の画像検定が終了した後、」出力するように動作するのに対し、引用例１発明では、画像表示装置に表示されているインデックス画像を見ながらプリント情報の入力を行っているものの、画像処理済みの画像を画像表示装置に表示して画像検定を行うかは不明である点。
［相違点２］
　画像データを対応する画像処理条件で処理して出力する際、該画像データは、本願発明では、「記憶した画像データ」であって、画像処理条件を設定する前に、原画像を順次読み取って得られた画像データを順次記憶したものであるのに対し、引用例１発明では、上記２（ｂ）によれば、原画像の画像処理条件を設定した後に、プリントすべきコマのファインスキャンを実行して読み取って記憶された画像データであるから、「記憶した」画像データではあるものの、画像処理条件を設定する前に、原画像を順次読み取って得られた画像データを順次記憶したものではない点。
　
４．判断
　上記各相違点について検討する。
［相違点１について］
　画像処理による編集を行う技術分野において、画像処理条件を設定した後に、画像処理済みの画像をディスプレイに表示して、プリント等の出力前に、オペレータによる画像のチェック、いわゆる画像検定を行うことは慣用技術であり、この慣用技術を引用例１発明に採用して、プリントするコマ画像のプリント情報を入力した後、画像処理済の画像を画像表示装置（本願発明の「ディスプレイ」相当）に表示して画像検定を行い、所定コマ数の画像検定が終了した後、出力するように動作する構成とすることは当業者が容易になし得ることである。
［相違点２について］
　上記２（ｃ）によれば、引用例１の従来技術として、低解像度の画像データに基づいてモニタＴＶに画像を表示しながらズーム、トリミング、トーン及びカラー補正等の画像の編集データを入力し、その入力した編集データに基づいて高解像度の画像データを補正して高解像度のプリンタに出力する際、予め複数の解像度の画像データを生成するとともに、これらの画像データを保持しておく事項が記載されている。よって、画像メモリの記憶容量も少なくするという引用例１発明の目的には反するものの、記憶容量を増大させることは当業者にとって設計事項にすぎないから、上記の公知の事項を引用例１発明の構成に採用して、画像処理条件を設定する前に、低解像度のプリスキャンだけでなく高解像度のファインスキャンも行って、原画像を順次読み取って複数の解像度の画像データを順次記憶すると共に、原画像の画像処理条件を設定した後に、画像データを対応する画像処理条件で処理して出力する際、画像処理条件を設定する前に、原画像を順次読み取って順次記憶した高解像度のファインスキャン画像データを、対応する画像処理条件で処理して出力する構成とすることは当業者が容易になし得ることである。
　
　そして、これら相違点を総合的に考慮しても当業者が想到し難い格別のものであるとすることはできず、また本願補正発明の効果についてみても、上記構成の採用に伴って当然に予測される程度のものにすぎず、格別顕著なものがあるともいえない。
　したがって、本願発明は、引用例１発明及び慣用技術に基づいて当業者が容易に発明をすることができたものである。
　
５．むすび 
　以上のとおり、本願の請求項１に係る発明は、引用例１発明及び慣用技術に基づいて当業者が容易に発明をすることができたものであるから、特許法第２９条第２項の規定により特許を受けることができない。
　したがって、その余の請求項について検討するまでもなく、本願は、拒絶すべきものである。 
　よって、結論のとおり審決する。